(57)【要約】【課題】  大掛かりなシステムを用いずに、定期券の適正な登録処理を行うことができ、定期券による確実な駐車管理を行うことのできる駐車場管理システムを提供する。【解決手段】  管理用カードリーダ４により読み取った利用者情報に基づいて生成された定期券登録情報を記録した定期券登録明細書を発行する定期券管理装置２と、入場用カードリーダ１４により読み取られた利用者情報と明細書読み取り部１５により読み取られた定期券登録情報の利用者情報とを照合し、両利用者情報が一致する場合に定期券の登録処理を行う入場管理装置１１と、精算用カードリーダ２６により読み取られた利用者情報と定期券登録情報の利用者情報とを照合し、両利用者情報が一致する場合に出場処理を行う料金精算機２１と、を備えている。【選択図】      図２
2010128837.tif 000002
【特許請求の範囲】
【請求項１】
利用者の利用者情報を読み取る管理用読み取り部を備え、この読み取った利用者情報に基づいて生成された定期券登録情報を記録した定期券登録明細書を発行する定期券管理装置と、
前記利用者の利用者情報を読み取る入場用読み取り部と、前記定期券登録明細書の定期券登録情報を読み取る明細書読み取り部とを備え、前記入場用読み取り部により読み取られた利用者情報と、前記明細書読み取り部により読み取られた定期券登録情報の利用者情報とを照合し、両利用者情報が一致する場合に定期券の登録処理を行う入場管理装置と、
前記利用者の利用情報を読み取る精算用読み取り装置と、精算用読み取り部により読み取られた利用者情報と前記定期券登録情報の利用者情報とを照合し、両利用者情報が一致する場合に出場処理を行う料金精算機と、
を備えていることを特徴とする駐車場管理システム。
【請求項２】
利用者の利用者情報を読み取る管理用読み取り部を備え、この読み取った利用者情報に基づいて生成された定期券登録情報を記録した定期券登録明細書を発行する定期券管理装置と、
前記利用者の利用者情報を読み取る入場用読み取り部を備え、前記入場用読み取り部により利用者情報が読み取られた場合に、入場処理を行う入場管理装置と、
前記利用者の利用情報を読み取る精算用読み取り装置と、前記定期券登録明細書の定期券登録情報を読み取る明細書読み取り部とを備え、精算用読み取り部により読み取られた利用者情報と前記定期券登録情報の利用者情報とを照合し、両利用者情報が一致する場合に定期券の登録処理を行う料金精算機と、
を備えていることを特徴とする駐車場管理システム。
【請求項３】
前記利用者の利用者情報を読み取る入場用読み取り部と、所定の定期券登録事項を入力する入力部とを備え、前記入場用読み取り部による読み取られた利用者情報と入力部による定期券登録情報とに基づいて定期券の登録処理を行う入場管理装置と、
前記利用者の利用情報を読み取る精算用読み取り装置を備え、精算用読み取り部により読み取られた利用者情報と前記定期券登録情報の利用者情報とを照合し、両利用者情報が一致する場合に出場処理を行う料金精算機と、
を備えていることを特徴とする駐車場管理システム。
【請求項４】
前記利用者の利用者情報を読み取る入場用読み取り部を備え、前記入場用読み取り部により利用者情報が読み取られた場合に、入場処理を行う入場管理装置と、
前記利用者の利用情報を読み取る精算用読み取り装置と、所定の定期券登録事項を入力する入力部とを備え、精算用読み取り部により読み取られた利用者情報と入力部による定期券登録情報とに基づいて定期券の登録処理を行う料金精算機と、
を備えていることを特徴とする駐車場管理システム。
【請求項５】
前記入場管理装置または前記料金精算機の少なくとも一方に、前記入場用読み取り部または前記精算用読み取り部により読み取られた利用者情報と、前記定期券登録情報の利用者情報とが一致する場合に、前記定期券登録情報を記憶する定期券情報記憶部が設けられていることを特徴とする請求項１から請求項４のいずれか一項に記載の駐車場管理システム。
【発明の詳細な説明】
【技術分野】
【０００１】
本発明は駐車場管理システムに係り、特に、定期券を用いて駐車場の管理を行うための駐車場管理システムに関するものである。
【背景技術】
【０００２】
一般に、駐車場においては、駐車場利用者に対して定期券を発行し、定期券で定められた一定の有効期限内は、当該駐車場を自由に利用することができるようにしたシステムがある。
【０００３】
この場合に、従来、管理装置により、駐車場利用パスとして提示する記録媒体に所定の識別情報を記録しておき、入場チェック時に、この記録媒体に記録された識別情報を読み取り、この識別情報が登録手段に登録されているか否か判断し、登録されている場合には、有効な駐車場利用パスであると判断するようにした技術が開示されている（例えば、特許文献１参照）。
【特許文献１】特開平０７−０１６３００号公報
【発明の開示】
【発明が解決しようとする課題】
【０００４】
しかしながら、前記特許文献１に記載の発明においては、管理装置により記録された駐車場利用パスの識別情報を登録する際に、入場管理装置あるいは料金精算機に識別情報および有効期限を入力する必要があるが、駐車場係員が駐車場利用者とともに登録操作機器まで行って登録処理を行う必要があり、駐車場係員および利用者の負担が大きいという問題を有している。
【０００５】
また、管理装置により記録された駐車場利用パスの識別情報を入場管理装置や料金精算機に通信可能に接続し、管理装置による登録識別情報を入場管理装置や料金精算機に送るようにすれば、駐車場係員や利用者の負担は低減されるが、管理装置との通信手段を設置する必要があり、システム全体が大規模で高価なものとなるという問題を有している。
【０００６】
本発明は前記した点に鑑みてなされたものであり、大掛かりなシステムを用いずに、定期券の適正な登録処理を行うことができ、定期券による確実な駐車管理を行うことのできる駐車場管理システムを提供することを目的とするものである。
【課題を解決するための手段】
【０００７】
本発明は前記目的を達成するために、請求項１に記載の発明に係る駐車場管理システムは、利用者の利用者情報を読み取る管理用読み取り部を備え、この読み取った利用者情報に基づいて生成された定期券登録情報を記録した定期券登録明細書を発行する定期券管理装置と、
前記利用者の利用者情報を読み取る入場用読み取り部と、前記定期券登録明細書の定期券登録情報を読み取る明細書読み取り部とを備え、前記入場用読み取り部により読み取られた利用者情報と、前記明細書読み取り部により読み取られた定期券登録情報の利用者情報とを照合し、両利用者情報が一致する場合に定期券の登録処理を行う入場管理装置と、
前記利用者の利用情報を読み取る精算用読み取り装置と、精算用読み取り部により読み取られた利用者情報と前記定期券登録情報の利用者情報とを照合し、両利用者情報が一致する場合に出場処理を行う料金精算機と、
を備えていることを特徴とする。
【０００８】
請求項２に係る発明は、利用者の利用者情報を読み取る管理用読み取り部を備え、この読み取った利用者情報に基づいて生成された定期券登録情報を記録した定期券登録明細書を発行する定期券管理装置と、
前記利用者の利用者情報を読み取る入場用読み取り部を備え、前記入場用読み取り部により利用者情報が読み取られた場合に、入場処理を行う入場管理装置と、
前記利用者の利用情報を読み取る精算用読み取り装置と、前記定期券登録明細書の定期券登録情報を読み取る明細書読み取り部とを備え、精算用読み取り部により読み取られた利用者情報と前記定期券登録情報の利用者情報とを照合し、両利用者情報が一致する場合に定期券の登録処理を行う料金精算機と、
を備えていることを特徴とする。
【０００９】
請求項３に係る発明は、前記利用者の利用者情報を読み取る入場用読み取り部と、所定の定期券登録事項を入力する入力部とを備え、前記入場用読み取り部による読み取られた利用者情報と入力部による定期券登録情報とに基づいて定期券の登録処理を行う入場管理装置と、
前記利用者の利用情報を読み取る精算用読み取り装置を備え、精算用読み取り部により読み取られた利用者情報と前記定期券登録情報の利用者情報とを照合し、両利用者情報が一致する場合に出場処理を行う料金精算機と、
を備えていることを特徴とする。
【００１０】
請求項４に係る発明は、前記利用者の利用者情報を読み取る入場用読み取り部を備え、前記入場用読み取り部により利用者情報が読み取られた場合に、入場処理を行う入場管理装置と、
前記利用者の利用情報を読み取る精算用読み取り装置と、所定の定期券登録事項を入力する入力部とを備え、精算用読み取り部により読み取られた利用者情報と入力部による定期券登録情報とに基づいて定期券の登録処理を行う料金精算機と、
を備えていることを特徴とする。
【００１１】
請求項５に係る発明は、請求項１から請求項４のいずれか一項において、前記入場管理装置または前記料金精算機の少なくとも一方に、前記入場用読み取り部または前記精算用読み取り部により読み取られた利用者情報と、前記定期券登録情報の利用者情報とが一致する場合に、前記定期券登録情報を記憶する定期券情報記憶部が設けられていることを特徴とする。
【発明の効果】
【００１２】
請求項１に係る発明によれば、入場管理装置の明細書読み取り部により定期券登録明細書を読み取り、定期券登録明細書から読み取った利用者情報と、入場用読み取り部による利用者情報とを照合して、定期券登録明細書が正規なものである場合に、定期券の登録処理を行うようにしているので、特別な登録処理機器まで駐車場係員とともに出向いて登録処理を行う必要がなく、登録処理の負担を著しく低減させることができる。しかも、定期券管理装置と、入場管理装置および料金精算機とを接続するための通信システムを設置したりする必要がないため、設備コストを低く抑えることができ、定期券による安価で確実な駐車場管理を実現することが可能となる。
【００１３】
請求項２に係る発明によれば、料金精算機の明細書読み取り部により定期券登録明細書を読み取り、定期券登録明細書から読み取った利用者情報と、精算用読み取り部による利用者情報とを照合して、定期券登録明細書が正規なものである場合に、定期券の登録処理を行うようにしているので、特別な登録処理機器まで駐車場係員とともに出向いて登録処理を行う必要がなく、登録処理の負担を著しく低減させることができる。しかも、定期券管理装置と、入場管理装置および料金精算機とを接続するための通信システムを設置したりする必要がないため、設備コストを低く抑えることができ、定期券による安価で確実な駐車場管理を実現することが可能となる。
【００１４】
請求項３に係る発明によれば、入場管理装置により直接定期券の登録処理を行うようにしているので、特別な登録処理機器まで駐車場係員とともに出向いて登録処理を行う必要がなく、登録処理の負担を著しく低減させることができる。しかも、定期券管理装置が不要となり、定期券管理装置と、入場管理装置および料金精算機とを接続するための通信システムを設置したりする必要がないため、設備コストを低く抑えることができ、定期券による安価で確実な駐車場管理を実現することが可能となる。
【００１５】
請求項４に係る発明によれば、料金精算機により直接定期券の登録処理を行うようにしているので、特別な登録処理機器まで駐車場係員とともに出向いて登録処理を行う必要がなく、登録処理の負担を著しく低減させることができる。しかも、定期券管理装置が不要となり、定期券管理装置と、入場管理装置および料金精算機とを接続するための通信システムを設置したりする必要がないため、設備コストを低く抑えることができ、定期券による安価で確実な駐車場管理を実現することが可能となる。
【００１６】
請求項５に係る発明によれば、入場管理装置または料金精算機の少なくとも一方に、入場用読み取り部または精算用読み取り部により読み取られた利用者情報と、定期券登録情報の利用者情報とが一致する場合に、定期券登録情報を記憶する定期券情報記憶部を設けるようにしているので、定期券登録情報の照合を確実かつ容易に行うことができる。
【発明を実施するための最良の形態】
【００１７】
以下、本発明の実施の形態について図面を参照しながら説明する。
【００１８】
図１および図２は本発明に係る駐車場管理システムの第１実施形態を示す概略図である。図１および図２に示すように、本実施形態の駐車場管理システム１は、駐車場管理室や駐車場の運営会社などに設置される定期券管理装置２を備えており、定期券管理装置２は、所定の定期券情報を生成する管理用制御部３を備えている。定期券管理装置２には、ＩＤカードを読み取りＩＤカードの記録されている利用者情報としてのＩＤ情報を管理用制御部３に送る管理用カードリーダ４が設けられている。
【００１９】
定期券管理装置２には、管理用制御部３により生成されたＩＤ情報および定期券の有効期限などの定期券情報を記録する情報記録部５が設けられており、この情報記録部５に券用紙を供給する券供給部６が設けられている。そして、情報記録部５により、ＩＤ情報および有効期限情報を含む定期券登録情報を記録した定期券登録明細書を発行するように構成されている。なお、定期券登録情報は、例えば、「ＱＲコード」（ＪＩＳＸ０５１０）などの二次元コード、一次元コード、磁気記録など既知のいずれの手段で記録するようにしてもよい。さらに、定期券管理装置２には、所定の登録操作を行うための入力部７および所定の登録操作を表示するための表示部８が設けられている。
【００２０】
なお、本実施形態においては、利用者情報を取得するための媒体としてＩＤカードを用いた場合について説明する。ＩＤカードとしては、Ｆｅｌｉｃａカードなどの非接触式カード、クレジットカードなどの磁気記録式カードあるいは運転免許証などが適用可能である。ＩＤカードとして非接触式のカードを用いる場合には、入場用カードリーダ１４として非接触式のカードリーダが用いられるものであり、ＩＤ情報としては、例えば、ＩＤカードの製造番号などが用いられる。また、ＩＤカードとしてクレジットカードを用いる場合は、挿入式の磁気カードリーダが用いられるものであり、ＩＤ情報としては、例えば、クレジットカードのカード番号などが用いられる。さらに、ＩＤカードとして運転免許証などを用いる場合は、カメラあるいはラインスキャナなどによるカードリーダを用い、読み取った画像から文字認識することによりＩＤ情報を取得するものであり、ＩＤ情報としては、例えば、運転免許証番号などが用いられる。
【００２１】
また、その他、利用者情報を取得するための媒体として、利用者の指紋や静脈などの生体情報を用いるようにしてもよい。この場合には、利用者情報読み取り装置として、指紋認証装置や静脈認証装置などが用いられる。
【００２２】
また、本発明の駐車場管理システム１は、駐車場の入場用カーゲート１０付近に設置された入場管理装置１１を備えており、入場管理装置１１は、車両検知器１２により駐車場の入口に車両が接近したことを検出した場合に動作を行う入場管理制御部１３を備えている。入場管理装置１１には、利用者のＩＤカードを読み取ってＩＤカードのＩＤ情報を入場管理制御部１３に送る利用者情報読み取り装置としての入場用カードリーダ１４が設けられており、入場管理装置１１には、定期券管理装置２により発行された定期券登録明細書に記録されたＩＤ情報および有効期限情報を読み取る明細書読み取り部１５が設けられている。入場管理制御部１３は、入場用カードリーダ１４により読み取られたＩＤ情報と、明細書読み取り部１５により読み取られたＩＤ情報とを照合し、両ＩＤ情報が一致しているか否かを判定するように構成されている。そして、入場管理装置１１には、ＩＤ情報および有効期限を含む定期券登録情報を記憶する定期券情報記憶部１６が設けられるとともに、定期券登録情報とともに入場時刻情報を料金精算機２１に通知する通信部１７が設けられている。
【００２３】
また、駐車場の出場用カーゲート２０付近には、料金精算機２１が設置されており、料金精算機２１は、車両検知器２２により車両が駐車場の出口に接近したことを検出した際に、動作を行う精算用制御部２３を備えている。料金精算機２１には、入場管理装置１１の通信部１７から送信されるＩＤ情報、有効期限および入場時刻情報を受信する通信部２４が設けられており、料金精算機２１には、入場管理装置１１から送信されるＩＤ情報、有効期限および入場時刻情報を記録する定期券情報記憶部２５が設けられている。また、料金精算機２１には、利用者のＩＤカードを読み取る精算用カードリーダ２６が設けられている。
【００２４】
さらに、精算用制御部２３は、精算用カードリーダ２６により読み取られたＩＤ情報を、定期券情報記憶部２５に記憶されているＩＤ情報と照合して、定期券が有効か無効かを判定するように構成されている。
【００２５】
なお、前記実施形態においては、精算用カードリーダ２６、定期券情報記憶部２５、精算用制御部２３などを駐車場の出場口側に設置された料金精算機２１に設けるようにしているが、車両に乗車する前に精算を行う事前精算機に同様な構成を設けるようにしてもよい。
【００２６】
また、前記実施形態においては、定期券情報記憶部１６を入場管理装置１１および料金精算機２１のそれぞれ設けるようにしているが、通信部１７，２４を介して通信可能であることから、入場管理装置１１または料金精算機２１のいずれか一方に設けるようにしてもよい。
【００２７】
次に、本実施形態の作用について図３から図５に示すフローチャートを参照して説明する。
【００２８】
まず、定期券管理装置２による定期券登録処理について図３を参照して説明する。
最初に管理用カードリーダ４により、利用者のＩＤカードの読み取りを行う（ＳＴ１）。ＩＤカードの読み取りが適正に行われたら（ＳＴ２：Ｙｅｓ）、入力部７により有効期限を入力し（ＳＴ３）、管理用制御部３によりＩＤ情報と有効期限を含む定期券登録情報を生成する（ＳＴ４）。そして、券供給部６から供給された券用紙に情報記録部５により定期券登録情報を記録して定期券登録明細書を発行する（ＳＴ５）。
【００２９】
次に、入場管理装置１１による駐車場の入場処理について図４に示すフローチャートを参照して説明する。
駐車場の入口に車両が接近したことを車両検知器１２が検出したら（ＳＴ６）、入場管理制御部１３が動作して入場用カードリーダ１４により利用者のＩＤカードの読み取りを行う（ＳＴ７）。ＩＤカードの読み取りが適正に行われたら（ＳＴ８：Ｙｅｓ）、読み取ったＩＤカードのＩＤ情報と、定期券情報記憶部１６にＩＤ情報とを照合する。そして、読み取ったＩＤ情報が定期券情報記憶部１６に記憶されていない場合は（ＳＴ９：Ｎｏ）、明細書読み取り部１５により、定期券登録明細書を読み取り（ＳＴ１０）、定期券登録明細書の読み取りが適正に行われたら（ＳＴ１１：Ｙｅｓ）、定期券登録明細書から読み取ったＩＤ情報と、ＩＤカードのＩＤ情報とを照合する（ＳＴ１２）。
【００３０】
そして、ＩＤ情報が一致する場合は（ＳＴ１２：Ｙｅｓ）、定期券が有効期限内か否か判定し（ＳＴ１３）、定期券が有効期限内の場合は（ＳＴ１３：Ｙｅｓ）、ＩＤ情報と有効期限とを含む定期券登録情報を定期券情報記憶部１６に記憶するとともに（ＳＴ１４）、通信部１７，２４を介して料金精算機２１に通知し（ＳＴ１５）、料金精算機２１の定期券情報記憶部２５に記憶させる（ＳＴ１６）。これにより、定期券の登録処理が完了する。その後、入場用カーゲート１０が開き車両が入場可能となる（ＳＴ１７）。このとき、定期券登録明細書から読み取ったＩＤ情報とＩＤカードのＩＤ情報とが一致しない場合（ＳＴ１２：Ｎｏ）および定期券が有効期限内ではない場合（ＳＴ１３：Ｎｏ）には、定期券の登録処理は行わない（ＳＴ１８）。
【００３１】
また、読み取ったＩＤ情報が定期券情報記憶部１６に記憶されている場合は（ＳＴ９：Ｙｅｓ）、定期券情報記憶部２５の有効期限情報から定期券が有効期限内か否か判定し（ＳＴ１９）、有効期限内の場合は、車両を入場させるものであり（ＳＴ１７）、有効期限内ではない場合は、定期券による入場は認めない（ＳＴ２０）。
【００３２】
次に、料金精算機２１による精算処理について図５に示すフローチャートを参照して説明する。
【００３３】
駐車場の出口に車両が接近したことを車両検知器２２が検出したら（ＳＴ２１）、精算用制御部２３を動作させて精算用カードリーダ２６により利用者のＩＤカードの読み取りを行う（ＳＴ２２）。ＩＤカードの読み取りが適正に行われたら（ＳＴ２３：Ｙｅｓ）、精算用制御部２３により読み取ったＩＤカードのＩＤ情報と定期券情報記憶部２５に記憶されているＩＤ情報とを照合し、読み取ったＩＤ情報が定期券情報記憶部２５に記憶されている場合は（ＳＴ２４：Ｙｅｓ）、定期券が有効期限内か否かを判定する（ＳＴ２５）。そして、定期券が有効期限内の場合（ＳＴ２５：Ｙｅｓ）は、出場用カーゲート２０を開き、車両を出場させる（ＳＴ２６）。
【００３４】
また、読み取ったＩＤ情報が定期券情報記憶部２５に記憶されていない場合（ＳＴ２４：Ｎｏ）および定期券が有効期限内ではない場合（ＳＴ２５：Ｎｏ）は、定期券での出場は認めない（ＳＴ２７）。
【００３５】
したがって、本実施形態においては、入場管理装置１１の明細書読み取り部１５により定期券登録明細書を読み取り、定期券登録明細書から読み取ったＩＤ情報と、ＩＤカードのＩＤ情報とを照合して、定期券登録明細書が正規なものである場合に、定期券の登録処理を行うようにしているので、特別な登録処理機器まで駐車場係員とともに出向いて登録処理を行う必要がなく、登録処理の負担を著しく低減させることができる。しかも、定期券管理装置２と、入場管理装置１１および料金精算機２１とを接続するための通信システムを設置したりする必要がないため、設備コストを低く抑えることができ、定期券による安価で確実な駐車場管理を実現することが可能となる。
【００３６】
次に、本発明に係る駐車場管理システムの第２実施形態について説明する。
本実施形態においては、定期券登録明細書の読み取りを料金精算機２１で行うようにしたものである。そのため、本実施形態においては、図６に示すように、明細書読み取り部１５は、料金精算機２１に設けられており、入場管理装置１１には設けられていない。また、定期券情報記憶部２５は、料金精算機２１のみに設けられている。
その他の構成は前記第１実施形態と同様であるため同一部分には同一符号を付してその説明を省略する。
【００３７】
次に、本実施形態の作用について図７および図８を参照して説明する。
なお、本実施形態においては、定期券管理装置２による定期券登録処理については、前記第１実施形態と同様であるため、その説明を省略し、入場管理装置１１による駐車場の入場処理について図７に示すフローチャートを参照して説明する。
【００３８】
駐車場の入口に車両が接近したことを車両検知器１２が検出したら（ＳＴ３０）、入場管理制御部１３が動作して入場用カードリーダ１４により利用者のＩＤカードの読み取りを行う（ＳＴ３１）。ＩＤカードの読み取りが適正に行われたら（ＳＴ３２：Ｙｅｓ）、車両を入場させる（ＳＴ３３）。
【００３９】
次に、料金精算機２１による精算処理について図８を参照して説明する。
【００４０】
駐車場の出口に車両が接近したことを車両検知器２２が検出したら（ＳＴ３４）、精算用制御部２３を動作させて精算用カードリーダ２６により利用者のＩＤカードの読み取りを行う（ＳＴ３５）。ＩＤカードの読み取りが適正に行われたら（ＳＴ３６：Ｙｅｓ）、読み取ったＩＤカードのＩＤ情報と、料金精算機２１の定期券情報記憶部２５に記憶されたＩＤ情報とを照合し、読み取ったＩＤ情報が定期券情報記憶部２５に記憶されていない場合は（ＳＴ３７：Ｎｏ）、明細書読み取り部１５により、定期券登録明細書を読み取り（ＳＴ３８）、定期券登録明細書の読み取りが適正に行われたら（ＳＴ３９：Ｙｅｓ）、定期券登録明細書から読み取ったＩＤ情報と、ＩＤカードのＩＤ情報とを照合する（ＳＴ４０）。
【００４１】
そして、ＩＤ情報が一致する場合は（ＳＴ４０：Ｙｅｓ）、定期券が有効期限内か否か判定し（ＳＴ４１）、定期券が有効期限内の場合は（ＳＴ４１：Ｙｅｓ）、ＩＤ情報と有効期限を定期券情報記憶部２５に記憶させる（ＳＴ４２）。その後、出場用カーゲート２０が開き車両が出場可能となる（ＳＴ４３）。このとき、定期券登録明細書から読み取ったＩＤ情報とＩＤカードのＩＤ情報とが一致しない場合（ＳＴ４０：Ｎｏ）および定期券が有効期限内ではない場合（ＳＴ４１：Ｎｏ）には、定期券の登録処理は行わない（ＳＴ４４）。
【００４２】
また、読み取ったＩＤ情報が定期券情報記憶部２５に記憶されている場合は（ＳＴ３７：Ｙｅｓ）、定期券情報記憶部２５の有効期限情報から定期券が有効期限内か否か判定し（ＳＴ４５）、有効期限内の場合は、車両を出場させるものであり（ＳＴ４３）、有効期限内ではない場合は、定期券による出場は認めない（ＳＴ４６）。
【００４３】
したがって、本実施形態においても前記第１実施形態と同様に、料金精算機２１の明細書読み取り部１５により定期券登録明細書を読み取り、定期券登録明細書から読み取ったＩＤ情報と、ＩＤカードのＩＤ情報とを照合して、定期券登録明細書が正規なものである場合に、定期券の登録処理を行うようにしているので、特別な登録処理機器まで駐車場係員とともに出向いて登録処理を行う必要がなく、登録処理の負担を著しく低減させることができる。しかも、定期券管理装置２と、入場管理装置１１および料金精算機２１とを接続するための通信システムを設置したりする必要がないため、設備コストを低く抑えることができ、定期券による安価で確実な駐車場管理を実現することが可能となる。
【００４４】
次に、本発明に係る駐車場管理システムの第３実施形態について説明する。
本実施形態においては、定期券の登録処理を入場管理装置１１で行うようにしたものである。
【００４５】
本実施形態においては、図９および図１０に示すように、入場管理装置１１には、定期券登録情報を入力するための入力部３０が設けられており、所定の表示を行う表示部３１が設けられている。また、料金精算機２１には、定期券の利用料金を支払うための料金支払い部３２が設けられており、所定の表示を行う表示部３３が設けられている。
その他の構成は前記第１実施形態と同様であるため同一部分には同一符号を付してその説明を省略する。
【００４６】
次に、本実施形態の作用について図１１および図１２を参照して説明する。
【００４７】
まず、入場管理装置１１による駐車場の入場処理について図１１に示すフローチャートを参照して説明する。
駐車場の入口に車両が接近したことを車両検知器１２が検出したら（ＳＴ５０）、入場管理制御部１３が動作して入場用カードリーダ１４により利用者のＩＤカードの読み取りを行う（ＳＴ５１）。ＩＤカードの読み取りが適正に行われたら（ＳＴ５２：Ｙｅｓ）、読み取ったＩＤカードのＩＤ情報と、定期券情報記憶部１６のＩＤ情報とを照合し、読み取ったＩＤ情報が定期券情報記憶部１６に記憶されていない場合は（ＳＴ５３：Ｎｏ）、入力部３０により所定の定期券登録情報を入力する（ＳＴ５４）。
【００４８】
そして、入力された定期券登録情報で定期券の登録が可能か否か判断し（ＳＴ５５）、可能な場合（ＳＴ５５：Ｙｅｓ）は、ＩＤ情報と有効期限とを含む定期券登録情報を定期券情報記憶部１６に記憶するとともに（ＳＴ５６）、通信部１７，２４を介して料金精算機２１に通知し（ＳＴ５７）、定期券情報記憶部２５に記憶させる（ＳＴ５８）。これにより、定期券の登録処理が完了する。
【００４９】
その後、入場用カーゲート１０が開き車両が入場可能となる（ＳＴ５９）。このとき、入力された情報で定期券の登録が不可能な場合（ＳＴ５５：Ｎｏ）は、定期券の登録処理は行わない（ＳＴ６２）。
【００５０】
また、読み取ったＩＤ情報が定期券情報記憶部１６に記憶されている場合は（ＳＴ５３：Ｙｅｓ）、定期券情報記憶部１６の有効期限情報から定期券が有効期限内か否か判定し（ＳＴ６０）、有効期限内の場合は、車両を入場させるものであり（ＳＴ５９）、有効期限内ではない場合は、定期券による入場は認めない（ＳＴ６１）。
【００５１】
次に、料金精算機２１による精算処理について図１２に示すフローチャートを参照して説明する。
【００５２】
駐車場の出口に車両が接近したことを車両検知器２２が検出したら（ＳＴ６３）、精算用制御部２３を動作させて精算用カードリーダ２６により利用者のＩＤカードの読み取りを行う（ＳＴ６４）。ＩＤカードの読み取りが適正に行われたら（ＳＴ６５：Ｙｅｓ）、精算用制御部２３により読み取ったＩＤカードのＩＤ情報と定期券情報記憶部２５に記憶されているＩＤ情報とを照合し（ＳＴ６６）、読み取ったＩＤ情報が定期券情報記憶部２５に記憶されている場合は（ＳＴ６６：Ｙｅｓ）、定期券が有効期限内か否かを判定する（ＳＴ６７）。そして、定期券が有効期限内の場合（ＳＴ６７：Ｙｅｓ）は、定期券の利用料金が支払われているか否か判断し（ＳＴ６８）、定期券利用料金が支払われていない場合は（ＳＴ６８：Ｎｏ）、料金支払い部３２により定期券利用料金の支払いを行い（ＳＴ６９）、出場用カーゲート２０を開き、車両を出場させる（ＳＴ７０）。一方、定期券利用料金が支払われている場合（ＳＴ６８：Ｙｅｓ）は、そのまま車両を出場させる（ＳＴ７０）。
【００５３】
また、読み取ったＩＤ情報が入場情報記憶部１８に記憶されていない場合（ＳＴ６６：Ｎｏ）および定期券が有効期限内ではない場合（ＳＴ６７：Ｎｏ）は、定期券での出場は認めない（ＳＴ７１）。
【００５４】
したがって、本実施形態においても前記各実施形態と同様に、入場管理装置１１により直接定期券の登録処理を行うようにしているので、特別な登録処理機器まで駐車場係員とともに出向いて登録処理を行う必要がなく、登録処理の負担を著しく低減させることができる。しかも、定期券管理装置２が不要となり、定期券管理装置２と、入場管理装置１１および料金精算機２１とを接続するための通信システムを設置したりする必要がないため、設備コストを低く抑えることができ、定期券による安価で確実な駐車場管理を実現することが可能となる。
【００５５】
次に、本発明に係る駐車場管理システムの第４実施形態について説明する。
本実施形態においては、定期券の登録処理を料金精算機２１で行うようにしたものである。
【００５６】
本実施形態においては、図１３に示すように、料金精算機２１に所定の定期券登録情報を入力するための入力部３０が設けられており、入場管理装置１１には設けられていない。
その他の構成は前記第３実施形態と同様であるため同一部分には同一符号を付してその説明を省略する。
【００５７】
次に、本実施形態の作用について図１４および図１５を参照して説明する。
【００５８】
まず、入場管理装置１１による駐車場の入場処理について図１４に示すフローチャートを参照して説明する。
駐車場の入口に車両が接近したことを車両検知器１２が検出したら（ＳＴ７２）、入場管理制御部１３が動作して入場用カードリーダ１４により利用者のＩＤカードの読み取りを行う（ＳＴ７３）。ＩＤカードの読み取りが適正に行われたら（ＳＴ７４：Ｙｅｓ）、車両を入場させる（ＳＴ７５）。
【００５９】
次に、料金精算機２１による精算処理について図１５を参照して説明する。
【００６０】
駐車場の出口に車両が接近したことを車両検知器２２が検出したら（ＳＴ７６）、精算用制御部２３を動作させて精算用カードリーダ２６により利用者のＩＤカードの読み取りを行う（ＳＴ７７）。ＩＤカードの読み取りが適正に行われたら（ＳＴ７８：Ｙｅｓ）、読み取ったＩＤカードのＩＤ情報と、料金精算機２１の定期券情報記憶部２５に記憶されたＩＤ情報とを照合し（ＳＴ７９）、読み取ったＩＤ情報が定期券情報記憶部２５に記憶されている場合は（ＳＴ７９：Ｙｅｓ）、定期券情報記憶部２５の有効期限情報から定期券が有効期限内か否か判定し（ＳＴ８０）、有効期限内の場合は、車両を出場させるものであり（ＳＴ８１）、有効期限内ではない場合は、定期券による出場は認めない（ＳＴ８２）。
【００６１】
一方、読み取ったＩＤ情報が定期券情報記憶部２５に記憶されていない場合は（ＳＴ７９：Ｎｏ）、入力部３０により所定の定期券登録情報を入力する（ＳＴ８３）。そして、入力された定期券登録情報で定期券の登録が可能か否か判断し（ＳＴ８４）、可能な場合（ＳＴ８４：Ｙｅｓ）は、ＩＤ情報と有効期限とを含む定期券登録情報を定期券情報記憶部２５に記憶させる（ＳＴ８５）。これにより、定期券の登録処理が完了する。続いて、料金支払い部３２により定期券の利用料金の支払いを行い（ＳＴ８６）、出場用カーゲート２０を開き、車両を出場させる（ＳＴ８１）。このとき、入力された情報で定期券の登録が不可能な場合（ＳＴ８４：Ｎｏ）は、定期券の登録処理は行わない（ＳＴ８７）。
【００６２】
したがって、本実施形態においても前記各実施形態と同様に、料金精算機２１により直接定期券の登録処理を行うようにしているので、特別な登録処理機器まで駐車場係員とともに出向いて登録処理を行う必要がなく、登録処理の負担を著しく低減させることができる。しかも、定期券管理装置２が不要となり、定期券管理装置２と、入場管理装置１１および料金精算機２１とを接続するための通信システムを設置したりする必要がないため、設備コストを低く抑えることができ、定期券による安価で確実な駐車場管理を実現することが可能となる。
【００６３】
なお、本発明は上記実施形態に限定されるものではなく、本発明の趣旨に基づいて種々の変形が可能である。
【図面の簡単な説明】
【００６４】
【図１】本発明に係る駐車場管理システムの第１実施形態を示す概略構成図である。
【図２】本発明に係る駐車場管理システムの第１実施形態を示すブロックである。
【図３】第１実施形態における定期券登録処理の動作を示すフローチャートである。
【図４】第１実施形態における入場処理の動作の動作を示すフローチャートである。
【図５】第１実施形態における精算処理の動作を示すフローチャートである。
【図６】本発明に係る駐車場管理システムの第２実施形態を示すブロックである。
【図７】第２実施形態における入場処理の動作の動作を示すフローチャートである。
【図８】第２実施形態における精算処理の動作を示すフローチャートである。
【図９】本発明に係る駐車場管理システムの第３実施形態を示す概略構成図である。
【図１０】本発明に係る駐車場管理システムの第３実施形態を示すブロックである。
【図１１】第３実施形態における入場処理の動作の動作を示すフローチャートである。
【図１２】第３実施形態における精算処理の動作を示すフローチャートである。
【図１３】本発明に係る駐車場管理システムの第４実施形態を示すブロックである。
【図１４】第４実施形態における入場処理の動作の動作を示すフローチャートである。
【図１５】第４実施形態における精算処理の動作を示すフローチャートである。
【符号の説明】
【００６５】
１  駐車場管理システム
２  定期券管理装置
３  管理用制御部
４  管理用カードリーダ
５  情報記録部
６  券供給部
７，３０  入力部
８，３１  表示部
１１  入場管理装置
１２，２２  車両検知器
１３  入場管理制御部
１４  入場用カードリーダ
１５  明細書読み取り部
１６，２５  定期券情報記憶部
１７，２４  通信部
２１  料金精算機
２３  精算用制御部
２６  精算用カードリーダ
【図１】
2010128837.tif 000003
【図２】
2010128837.tif 000004
【図３】
2010128837.tif 000005
【図４】
2010128837.tif 000006
【図５】
2010128837.tif 000007
【図６】
2010128837.tif 000008
【図７】
2010128837.tif 000009
【図８】
2010128837.tif 000010
【図９】
2010128837.tif 000011
【図１０】
2010128837.tif 000012
【図１１】
2010128837.tif 000013
【図１２】
2010128837.tif 000014
【図１３】
2010128837.tif 000015
【図１４】
2010128837.tif 000016
【図１５】
2010128837.tif 000017